(57)【要約】【課題】  本発明は、銀行券用紙を含む有価証券等のシート類に光を照射し、透過光による光学画像を撮影し、当該シートの品質検査を行う検査装置に関するものである。【解決手段】  シートを保持し、周面へ巻き付けながら搬送する円筒状の検査胴と、検査胴の周面に対向し、かつ、検査胴の外周上に近接して配置され、検査胴により搬送されるシートの透過画像を撮影する画像入力部と、画像入力部により入力された透過画像データと、あらかじめ記録したシートの基準画像データとを比較し、良否判断を行う判定部を少なくとも有する品質検査装置において、検査胴の円筒板の表面の少なくとも一部にＬＥＤ照明装置が設けられたことを特徴とする。【選択図】図１
2013130514.tif 000002
【特許請求の範囲】
【請求項１】
シートを保持し、周面へ巻き付けながら搬送する円筒状の検査胴と、前記検査胴の周面に対向し、かつ、前記検査胴の外周上に近接して配置され、前記検査胴により搬送される前記シートの透過画像を撮影する画像入力部と、前記画像入力部により入力された透過画像データと、あらかじめ記録した前記シートの基準画像データとを比較し、良否判断を行う判定部を少なくとも有する品質検査装置において、
前記検査胴の円筒板の表面の少なくとも一部にＬＥＤ照明装置が設けられたことを特徴とする品質検査装置。
【請求項２】
前記ＬＥＤ照明は、前記検査胴の表面に凹部が形成され、前記凹部内に前記ＬＥＤ照明装置が埋設されていることを特徴とする請求項１記載の品質検査装置。
【請求項３】
前記凹部と前記ＬＥＤ照明装置の隙間を充填剤で充填されていることを特徴とする請求項１又は２記載の品質検査装置。
【請求項４】
前記ＬＥＤ照明装置の上部、かつ、前記検査胴の少なくとも一部に拡散板が設けられていることを特徴とする請求項１乃至３いずれか一項記載の品質検査装置。
【請求項５】
シートを保持し、周面へ巻き付けながら搬送する円筒状の検査胴と、前記検査胴の周面に対向し、かつ、前記検査胴の外周上に近接して配置され、前記検査胴により搬送される前記シートの透過画像を撮影する画像入力部と、前記画像入力部により入力された透過画像データと、あらかじめ記録した前記シートの基準画像データとを比較し、良否判断を行う判定部を少なくとも有する品質検査装置において、
前記検査胴の円筒板の表面の少なくとも一部に導光板を有し、前記導光板にＬＥＤ照明装置が設けられたことを特徴とする品質検査装置。
【請求項６】
前記ＬＥＤ照明装置は、前記導光板の前記検査胴の回転方向に沿って配列又は前記検査胴の回転方向に対して垂直方向に沿って配列されたことを特徴とする請求項５記載の品質検査装置。
【請求項７】
前記導光板上の少なくとも一部に拡散板が設けられたことを特徴とする請求項６又は７記載の品質検査装置。
【請求項８】
シートを保持し、周面へ巻き付けながら搬送する円筒状の検査胴と、前記検査胴の周面に対向し、かつ、前記検査胴の外周上に近接して配置され、前記検査胴により搬送される前記シートの透過画像を撮影する画像入力部と、前記画像入力部により入力された透過画像データと、あらかじめ記録した前記シートの基準画像データとを比較し、良否判断を行う判定部を少なくとも有する品質検査装置において、
前記検査胴の円筒板の表面の少なくとも一部に導光板を有し、前記導光板の両側面に照明装置が設置されていることを特徴とする品質検査装置。
【請求項９】
シートを保持し、周面へ巻き付けながら搬送する円筒状の検査胴と、前記検査胴の周面に対向し、かつ、前記検査胴の外周上に近接して配置され、前記検査胴により搬送される前記シートの透過画像を撮影する画像入力部と、前記画像入力部により入力された透過画像データと、あらかじめ記録した前記シートの基準画像データとを比較し、良否判断を行う判定部を少なくとも有する品質検査装置において、
前記検査胴の表面の少なくとも一部にエレクトロ・ルミネッセンス照明シートが形成されたことを特徴とする品質検査装置。
【請求項１０】
前記エレクトロ・ルミネッセンス照明シート上の少なくとも一部に拡散板が設けられたことを特徴とする請求項９記載の品質検査装置。
【発明の詳細な説明】
【技術分野】
【０００１】
本発明は、銀行券用紙を含む有価証券等のシート類に光を照射し、透過光による光学画像を撮影し、当該シートの品質検査を行う検査装置に関するものである。
【背景技術】
【０００２】
従来、有価証券等のシートの品質検査装置は、用紙に施されたすき入れ画像又は印刷機により印刷された印刷面を検査するため、照明光を検査胴上の当該シートに照射して検出カメラ等を用いて検出した透過画像又は反射画像を、あらかじめ記録した基準データと比較することにより、品質の良否を判定している。
【０００３】
その一例としては、第一検査胴にシートの前端部を把持するためのグリッパを設け、また、第一検査胴上には、透明部材から成る箇所を設け、把持されたシートの表面を第一検査胴の内部から透過によって検査することができるカメラを設け、第一検査胴の外部には、カメラと対面し、かつ、シートに対してカメラの反対側においてシートを照らす照明機器が設けられたことを特徴とする品質検査装置が開示されている（例えば、特許文献１参照）。
【０００４】
また、別の一例としては、センサ装置と照明装置を有し、かつ、印刷画像を有するシートを検査する装置であって、当該シートは、透明な胴上で案内され、照明装置とセンサ装置は、胴の内側と外側で対向するようにそれぞれ配置されており、照明装置が、胴の円周の内部に付属のセンサ装置が胴の円周の外部に配置されていることを特徴とする品質検査装置が開示されている（例えば、特許文献２参照）。
【０００５】
なお、透明な検査胴内に光源を設け、散光から遮断されたハウジングに収納されたカメラを検査胴に対向して設け、光源により照明されるシートの領域を走査し、制御ユニットにより、カメラによる撮影画像を所望の画像と比較するための透過光検査を行うことを特徴とする品質検査装置が開示されている（例えば、特許文献３参照）。
【０００６】
さらに、検査胴に開口部を設け、検査胴の開口部の内部より透過光照明を照射し、検査胴外部に設けられた撮影装置により、シートの透過画像の検査を行う品質検査装置が開示されている（例えば、特許文献４参照）
【先行技術文献】
【特許文献】
【０００７】
【特許文献１】特表２００３−５３２５６３号公報
【特許文献２】特表２００５−５１３４３６号公報
【特許文献３】特表２００７−５０７０２３号公報
【特許文献４】特開２０１０−２４９５７１号公報
【発明の概要】
【発明が解決しようとする課題】
【０００８】
しかしながら、特表２００３−５３２５６３号公報は、画像撮影を安定させるため、検査対象シートの吸着手段を用いる必要がある。また、カメラ及び照明等の画像入力機器を検査胴内に設置しているため、メンテナンス性に悪影響を及ぼす問題があった。
【０００９】
また、特表２００５−５１３４３６号公報及び特表２００７−５０７０２３号公報は、検査胴全体が透明な材料で形成されているため、シートを搬送する検査胴の剛性等、機械的な強度に欠けるだけでなく、透明な材料はホコリ、汚れ、キズ等に脆弱であり、安定した画像撮影ができないという問題があった。
【００１０】
さらに、特開２０１０−２４９５７１号公報は、検査胴に開口部を設けているため、検査胴が回転すると、検査胴内外の圧力差による異音（風切り音）が発生するだけでなく、検査胴にシートを密着させると、開口部の影響により、開口部に合わせてシートが凹む現象が発生し、安定した検査画像を撮影することが困難であるという問題があった。
【課題を解決するための手段】
【００１１】
本発明は、シートを保持し、周面へ巻き付けながら搬送する円筒状の検査胴と、検査胴の周面に対向し、かつ、検査胴の外周上に近接して配置され、検査胴により搬送されるシートの透過画像を撮影する画像入力部と、画像入力部により入力された透過画像データと、あらかじめ記録したシートの基準画像データとを比較し、良否判断を行う判定部を少なくとも有する品質検査装置において、検査胴の円筒板の表面の少なくとも一部にＬＥＤ照明装置が設けられたことを特徴とする。
【００１２】
また、本発明のＬＥＤ照明は、検査胴の表面に凹部が形成され、凹部内にＬＥＤ照明装置が埋設されていることを特徴とする。
【００１３】
また、本発明は、凹部とＬＥＤ照明装置の隙間を充填剤で充填されていることを特徴とする。
【００１４】
また、本発明は、ＬＥＤ照明装置の上部、かつ、検査胴の少なくとも一部に拡散板が設けられていることを特徴とする。
【００１５】
また、本発明は、シートを保持し、周面へ巻き付けながら搬送する円筒状の検査胴と、検査胴の周面に対向し、かつ、検査胴の外周上に近接して配置され、検査胴により搬送されるシートの透過画像を撮影する画像入力部と、画像入力部により入力された透過画像データと、あらかじめ記録したシートの基準画像データとを比較し、良否判断を行う判定部を少なくとも有する品質検査装置において、
検査胴の円筒板の表面の少なくとも一部に導光板を有し、導光板にＬＥＤ照明装置が設けられたことを特徴とする。
【００１６】
また、本発明のＬＥＤ照明装置は、導光板の検査胴の回転方向に沿って配列又は検査胴の回転方向に対して垂直方向に沿って配列されたことを特徴とする。
【００１７】
また、本発明は、導光板上の少なくとも一部に拡散板が設けられたことを特徴とする。
【００１８】
また、本発明は、シートを保持し、周面へ巻き付けながら搬送する円筒状の検査胴と、検査胴の周面に対向し、かつ、検査胴の外周上に近接して配置され、検査胴により搬送されるシートの透過画像を撮影する画像入力部と、画像入力部により入力された透過画像データと、あらかじめ記録したシートの基準画像データとを比較し、良否判断を行う判定部を少なくとも有する品質検査装置において、検査胴の円筒板の表面の少なくとも一部に導光板を有し、導光板の両側面に照明装置が設置されていることを特徴とする。
【００１９】
また、本発明は、シートを保持し、周面へ巻き付けながら搬送する円筒状の検査胴と、検査胴の周面に対向し、かつ、検査胴の外周上に近接して配置され、検査胴により搬送されるシートの透過画像を撮影する画像入力部と、画像入力部により入力された透過画像データと、あらかじめ記録したシートの基準画像データとを比較し、良否判断を行う判定部を少なくとも有する品質検査装置において、検査胴の表面の少なくとも一部にエレクトロ・ルミネッセンス照明シートが形成されたことを特徴とする。
【００２０】
また、本発明は、エレクトロ・ルミネッセンス照明シート上の少なくとも一部に拡散板が設けられたことを特徴とする。
【発明の効果】
【００２１】
本発明の品質検査装置は、検査胴表面に設けられた面発光照明装置によりシートに光を照射し、検査胴外部に設けられた検出装置により透過画像を検出するため、安定した透過画像データを検出することができるとともに、機械の保守、点検等のメンテナンス性が良好である。
【００２２】
また、本発明の品質検査装置は、検査胴の大部分を金属により形成しているため、優れたローラ表面の強度を得られ、ローラの劣化等の問題を解決することができる。
【００２３】
本発明の品質検査装置は、開口部がないため、開口検査胴の回転における検査胴内外の圧力差による異音の発生がない。
【００２４】
また、本発明の品質検査装置は、開口部がないため、開口検査胴における用紙搬送において、開口部への用紙の凹みが発生することなく、安定した画像を撮影することができる。
【図面の簡単な説明】
【００２５】
【図１】本発明の品質検査装置の概略図。
【図２】検査対象シートの一例を示す図。
【図３】検査対象シートの判別例を示す図。
【図４】本発明による検査胴表面にＬＥＤ素子を配置した図。
【図５】図４のＡ−Ａ’断面図。
【図６】図４の検査胴表面に拡散板を設けた図。
【図７】図６のＢ−Ｂ’断面図。
【図８】本発明によるＥＬ発光素子を配置した図。
【図９】図８のＣ−Ｃ’断面図。
【図１０】本発明による検査胴表面に導光板を配置し、検査胴の回転方向と平行となるよう導光版両側面にＬＥＤ素子を配置した図。
【図１１】図１０のＤ−Ｄ’断面図。
【図１２】本発明による検査胴表面に導光板を配置し、検査胴の回転方向と平行となるよう導光版片側面にＬＥＤ素子を配置した図。
【図１３】図１２のＥ−Ｅ’断面図。
【図１４】本発明による検査胴表面に導光板を配置し、検査胴の回転方向と垂直となるよう導光版両側面にＬＥＤ素子を配置した図
【図１５】図１４のＦ−Ｆ’断面図。
【図１６】本発明による検査胴表面に導光板を配置し、検査胴の回転方向と垂直となるよう導光版片側面にＬＥＤ素子を配置した図
【図１７】図１６のＧ−Ｇ’断面図。
【図１８】本発明による検査胴表面に導光板を配置し、導光板の側面から照明装置を配置した図
【図１９】図１８のＨ−Ｈ’断面図。
【図２０】検査対象シートを各種波長で撮影した結果を示す図。
【発明を実施するための形態】
【００２６】
本発明を実施するための形態について、図面を参照して説明する。しかしながら、本発明は、以下に述べる形態に限定されるものではなく、特許請求の範囲記載における技術的思想の範囲内であれば、その他のいろいろな実施の形態が含まれる。
【００２７】
図１に本発明の品質検査装置の概略図を示す。図１に示すように本発明の品質検査装置１は、シート２を保持部３で保持し、円筒板４の検査胴５の周面へ巻き付けながら搬送する。画像入力部６は、検査胴５の周面に対向し、かつ、検査胴５の外周上に近接して配置され、検査胴により搬送されるシート２の透過画像データ７を取得する。判定部８は、画像入力部６により入力された透過画像データ７と、あらかじめ記録したシートの基準画像データ９とを比較し、良否判断を行う。
【００２８】
図２に示すように、シート２は、効率的な製造を行うため、一般的な銀行券及び有価証券類のように、大判１面に対し、同様な図柄が表裏多面に印刷されている。図２（ａ）は、有価証券類が多面印刷（５列×８行）された様子を示す。図２（ａ）は、５列×８行と記載されているが、特に限定されるものではない。図２（ｂ）は、図２（ａ）の任意の表１面を図示したものである。図２（ｃ）は、図２（ａ）の任意の裏１面を図示したものである。
【００２９】
検査胴５は、検査対象シートを検査胴上に巻き付けながら搬送を行うための咥え爪等の保持部３によりシートを保持し、各検査胴上にシートを密着させる。なお、シートの保持手段は、咥え爪に限定されるものではなく、エアーの吹き付けによる密着手段、検査胴上に形成したエアーによる吸引穴等を設けて吸引を行うことにより、シートを検査胴に密着させて保持する手段、ブラシ等の器具によりシートを検査胴上に密着させて保持することもできる。
【００３０】
検査胴５の円筒板４は、強固でありその形状を保持できる材質であれば特に指定されるものではないが、金属製の胴がより好ましい。なお、検査胴の回転速度は、検査対象シートの材質、撮影装置のシャッタースピード、照明装置の光量等によって変動するが、生産性を考慮すると毎時３，０００枚から毎時１０，０００枚の回転数が好ましい。
【００３１】
画像入力部６は、シートの透過画像を検出することができれば特に限定されず、エリアセンサ、ラインセンサ、ＣＣＤエリアセンサカメラ、ＣＣＤラインセンサカメラ、ＣＭＯＳカメラ等の検出機器類を使用することができる。本発明の検査胴のように、シート搬送によって画像を撮影する場合は、ＣＣＤラインカメラがより好ましい。また、画像入力部６は、検査する波長領域に応じて、特定波長を抽出するカットフィルタやバンドパスフィルタを装着することでより良好な撮影が可能となる。また、本発明の図面では画像撮影に関するカメラが１台となっているが、検出したい欠陥情報の大きさにより、画像解像度が変化する場合があるため、そのときは、複数台のカメラを使用することも可能である。
【００３２】
透過画像データ７の一例を図３に示す。図３（ａ）は、基準画像データ９を示す。図３（ｂ）及び図３（ｃ）は、透過画像データ７を示す。図３（ｂ）は、印刷等により汚れが付着した様子を示す。また、図３（ｃ）は、有価証券に施された「透かし」の位置が基準画像データ９と比較し、ずれている様子を示す。いずれも製品品質上、排除すべき欠陥である。なお、図示した欠陥以外に、本発明の品質検査装置により撮影可能な欠陥であれば、排除することができる。また、透過画像データの形式は、ＢＭＰ、ＴＩＦＦ等特に限定されるものではない。
【００３３】
判定部８は、透過画像データ７の基準画像データ９を記録し、
入力された透過画像データ７と基準画像データ９との比較処理を行い、あらかじめ設定した基準値以内であるか否かの良否を判定する。透過画像データ７は、画像処理部を別途設けることによって、検査対象であるシートの透過画像データ７について、検査に適した画像データとするために必要な画像処理を行うことができる。判定結果については、判定結果外部出力部へ送信される。一例として、判定部８は、基準シートの透過画像を基準画像データ９として記録し、画像処理部で処理された透過画像データ７について、あらかじめ記録した基準画像データ９とそれぞれ比較する。画像入力部により検出された透過画像データ７が、あらかじめ設定した基準値の範囲内に含まれるか否かを判定し、いずれか一つの画像が基準値に満たない場合は、欠陥シートとして判定結果外部出力部へ判定結果の出力を行う。なお、判定結果外部出力部に接続される機能の一例としては、検査装置や各種印刷機であれば、不良紙排出部へ接続し、当該不良紙を不良紙排出部へ排出する。また、不良紙の欠陥情報をＩＪＰ（インクジェットプリンタ）やレーザーマーカーにより、当該欠陥シートの少なくとも一部に描画することもできる。
【００３４】
基準画像データ９は、基準シートの透過画像から得られたデータであり、複数枚の基準の平均値をデータとしてもよい。
【００３５】
下記に本発明の検査胴５について、実施の形態１乃至４で詳細に説明する。
（実施の形態１）
図４は、本発明の検査胴の一例を示す全体図である。検査胴の表面上にＬＥＤ照明装置１０を設けたものである。検査胴５の円筒板４の外周表面は、所定の間隔でＬＥＤ照明装置１０が複数配列されている。なお、ＬＥＤ照明については、検査胴表面に強固に取り付けられていれば、固定方法が限定されるわけではない。
【００３６】
また、図４のＬＥＤ照明装置１０については、検査胴表面に均一に配置されているが、透過画像を得たい任意の場所にＬＥＤ照明装置１０を設けることも可能である。
【００３７】
図５は、図４のＡ−Ａ’断面図である。図５（ａ）は、検査胴表面にＬＥＤ照明を設けたものである。検査胴表面よりＬＥＤ照明が隆起していることを示す。図５（ｂ）は、検査胴表面に凹みを設け、そこにＬＥＤ照明を埋設したものである。図５（ｃ）は、図５（ｂ）の検査胴表面の凹みとＬＥＤ照明の間隙に充填剤１５により充填したものである。鮮明なシート画像を撮影するには、シートの表面に凹凸がなく均一なものが好ましい。図５（ａ）のように、ＬＥＤ照明の凹凸がある場合、薄いシート（約0.01ｍｍ〜約0.5ｍｍ）の撮影において、シートに凹凸が発生し、鮮明な撮影画像を得られないことがあるため、薄いシートの場合は、図５（ｂ）又は図５（ｃ）の形態がより好ましい。
【００３８】
図６は、図４において、ＬＥＤ照明の上部に拡散板１１を設けたものである。ＬＥＤ照明の特性として光の直進性がよいことから、ＬＥＤ照明が設けられているところと設けられていないところに光量の明暗差が出現することがあるため、全体に均一な光量が必要な場合、拡散板１１を設けることがより好ましい。
【００３９】
図７は、図６のＢ−Ｂ’断面図である。ＬＥＤ照明の上部に拡散板１１を設ける場合、図７（ａ）のようにＬＥＤ照明に直接、拡散板１１を設けるものと、図７（ｂ）及び図７（ｃ）に示すように検査胴にＬＥＤ照明を埋設し、その上部に拡散板１１を設けることが可能である。拡散板１１の設置安定においては、いずれの方法も可能であるが、図７（ｂ）又は図７（ｃ）の形態がより好ましい。また、拡散板の材質及び厚み等については、均一な面発光が得られるものであれば、特に指定されるものではないが、検査胴に安定的に保持されるには、アクリル、塩化ビニール、ポリカーボネートであり、厚さは５ｍｍ〜１０ｍｍのものがより好ましい。
【００４０】
（実施の形態２）
図８は、検査胴５の円筒板４にＥＬ照明装置１２を設けたものである。ＥＬ（エレクトロ・ルミネッセンス）照明は、有機物で構成された有機ＥＬ照明、また、無機物で構成された無機ＥＬ照明があり、シートを均一に照射できれば、いずれのＥＬ照明装置でも構わない。また、検査胴表面を一枚のＥＬ照明装置で設けることはもちろんのこと、いくつかのＥＬ照明装置を分割し設けることも構わない。
【００４１】
図９は、図８のＣ−Ｃ’断面図である。図９（ａ）は検査胴５の円筒板４の表面にＥＬ照明装置１２を設けたものである。図９（ｂ）は図９（ａ）のＥＬ照明装置１２表面に拡散板１１を設けたものである。より均一な面発光を得るとともに、ＥＬ照明装置１２を汚れやキズから保護するため、図９（ｂ）の形態がより好ましい。
【００４２】
（実施の形態３）
図１０は、検査胴表面に導光板１３を設け、導光板１３の両側面からＬＥＤ照明装置１０を照射している様子を示す。
【００４３】
図１１は、図１０のＤ−Ｄ’断面図である。図１１（ａ）は、検査胴に設けられた導光板１３の両側面にＬＥＤ照明装置１０を設けたものである。図１１（ｂ）は、図１１（ａ）の導光板１３表面に拡散板１１を設けたものである。より均一な面発光を得るとともに、導光板１３の汚れやキズから保護するため、図１１（ｂ）の形態がより好ましい。また、本発明に使用される導光板１３はＬＥＤ照明装置１０や照明装置１４から照射された光が均一に照射できるものであれば、厚みなどの大きさは特に指定されるものではない。なお、検査胴に安定的に保持されるには、厚さ５ｍｍ〜２０ｍｍの導光板がより好ましい。
【００４４】
図１２は、検査胴表面に導光板１３を設け、導光板１３の片側面からＬＥＤ照明１０を照射している様子を示す。
【００４５】
図１３は、図１２のＥ−Ｅ’断面図である。図１３（ａ）は、検査胴５の円筒板４の表面に設けられた導光板１３の片側面にＬＥＤ照明装置１０を設けたものである。図１３（ｂ）は、図１３（ａ）の導光板１３表面に拡散板１１を設けたものである。より均一な面発光を得るとともに、導光板１３の汚れやキ
ズから保護するため、図１３（ｂ）の形態がより好ましい。
【００４６】
図１０及び図１３のいずれの実施形態においても、全面が均一に照射できるのであれば構わない。導光板１３の導光距離と検査胴の幅によって、片側面及び両側面の最適な照射方法が選択されればよい。
【００４７】
図１４は、検査胴５の円筒板４の表面に導光板１３を設け、検査胴の回転方向と垂直となるよう導光板１３の両側からＬＥＤ照明装置１０を照射している様子を示す。一般的な検査胴の側面は、機械本体のフレームによって遮蔽されている場合が多いため、図１２に示す形態でＬＥＤ照明装置１０を設けた方がよりメンテナンス性が向上する。
【００４８】
図１５は、図１４のＦ−Ｆ’断面図である。図１５（ａ）は、検査胴の回転方向と垂直となるよう導光板１３の両側にＬＥＤ照明装置１０を設けたものである。図１５（ｂ）は、図１５（ａ）の導光板１３の表面に拡散板１１を設けたものである。より均一な面発光を得るとともに、導光板１３の汚れやキズから保護するため、図１５（ｂ）の形態がより好ましい。
【００４９】
図１６は、検査胴５の円筒板４の表面に導光板１３を設け、検査胴の回転方向と垂直となるよう導光板１３の片側からＬＥＤ照明を照射している様子を示す。
【００５０】
図１７は、図１６のＧ−Ｇ’断面図である。図１７（ａ）は、検査胴の回転方向と垂直となるよう導光板１３の片側にＬＥＤ照明装置１０を設けたものである。図１７（ｂ）は、図１７（ａ）の導光板１３表面に拡散板１１を設けたものである。より均一な面発光を得るとともに、導光版の汚れやキズから保護するため、図１７（ｂ）の形態がより好ましい。
【００５１】
図１４及び図１６のいずれの実施形態においても、全面が均一に照射できるのであれば構わない。導光板１３の導光距離と検査胴の円周によって、片側及び両側の最適な照射方法が選択されればよい。
【００５２】
（実施の形態４）
図１８は、検査胴５の円筒板４の表面に導光板１３を設け、導光板１３の側面から照明装置１４にて照射している様子を示す。照明装置１４は、検査胴に接触しておらず、図４、図６、図８、図１０、図１２、図１４及び図１６のように検査胴に照明装置１４を設けているものと構成は異なっているが、撮影装置によって得られる透過画像は同様である。
【００５３】
図１９は、図１８のＨ−Ｈ’断面図である。図１９（ａ）は、検査胴の側面から照明装置１４にて照射している様子を示す。図１９（ａ）では、導光板１３両側面から照明を照射しているが、均一な面発光が得られれば、導光板１３片側一方から照明を照射することも可能である。導光板１３の導光距離と検査胴の幅によって、最適な照射方法が選択されればよい。
【００５４】
また、図１９（ｂ）は、図１９（ａ）の導光板１３表面に拡散板１１を設けたものである。より均一な面発光を得るとともに、導光板１３の汚れやキズから保護するため、図１９（ｂ）の形態がより好ましい。
【００５５】
ＬＥＤ照明装置１０、ＥＬ照明装置１２、及び各照明装置１４の波長については、可視領域（約380nm〜約700nm）、赤外領域（約700nm以上）、紫外領域（約380nm以下）を検査の目的に応じて使用することが可能である。また、ＬＥＤ照明装置１０、ＥＬ照明装置１２、及び照明装置１４の光源は、ＬＥＤ及びＥＬに係らず、メタルハライドランプ、キセノンランプ、蛍光灯、白熱灯等の種々の光源を使用することができる。また、照明装置の照度は、シートの透過画像が撮影できればよく、透過画像撮影における周辺環境にもよるが、２００ルーメン〜１０００ルーメンであればよい。
【００５６】
ＬＥＤ照明装置１０、ＥＬ照明装置１２、及び照明装置１４は検査胴の全面に設けることはもちろんのこと、シートの検査対象領域に限定して、照明装置を設けることも可能である。
【００５７】
なお、本実施形態においては、独立の品質検査装置として説明したが、本発明の品質検査装置は、凹版印刷機、オフセット印刷機、スクリーン印刷機等の公知の輪転印刷機に組み付けて適用することによって、印刷機上においてシートの品質検査を行い、シートごとに良否判定に応じた区分することもできる。
【００５８】
図２０は、本発明によりシートを撮影した様子である。図２０（ａ）は、可視領域（約380nm〜約700nm）でシートを撮影した様子である。シートの表裏面にそれぞれ異なる画像が施され、透過画像によって、一つの画像として認識できる表裏合成模様の検査、有価証券等の偽造防止技術の一つとして採用されている「透かし」の位置、「透かし」図柄の品質に関する検査等を行うことができる。
【００５９】
図２０（ｂ）は、赤外領域（約700nm以上）でシートを撮影した様子である。赤外領域で認識できる模様の検査を行うことができる。
【００６０】
図２０（ｃ）は、紫外領域（約380nm以下）でシートを撮影した様子である。紫外領域で認識できる模様の検査を行うことができる。
【符号の説明】
【００６１】
１  品質検査装置
２  シート
３  保持部
４  円筒板
５  検査胴
６  画像入力部
７  透過画像データ
８  判定部
９  基準画像データ
１０  ＬＥＤ照明装置
１１    拡散板
１２    ＥＬ照明装置
１３    導光板
１４    照明装置
１５    充填剤
【図１】
2013130514.tif 000003
【図２】
2013130514.tif 000004
【図３】
2013130514.tif 000005
【図４】
2013130514.tif 000006
【図５】
2013130514.tif 000007
【図６】
2013130514.tif 000008
【図７】
2013130514.tif 000009
【図８】
2013130514.tif 000010
【図９】
2013130514.tif 000011
【図１０】
2013130514.tif 000012
【図１１】
2013130514.tif 000013
【図１２】
2013130514.tif 000014
【図１３】
2013130514.tif 000015
【図１４】
2013130514.tif 000016
【図１５】
2013130514.tif 000017
【図１６】
2013130514.tif 000018
【図１７】
2013130514.tif 000019
【図１８】
2013130514.tif 000020
【図１９】
2013130514.tif 000021
【図２０】
2013130514.tif 000022